(57)【特許請求の範囲】
【請求項１】
一対の棒材からなる第一脚部材と、この第一脚部材を互いに平行に連結した第一連結部材と、この連結部材に形成された所定幅のスリットとを備えた第一連結体と、上記第一脚部材と同様に一対の棒材からなる第二脚部材と、この第二脚部材を互いに平行に連結するとともに、この第二脚部材が連結状態で上記スリットに挿通可能に保持した第二連結体とからなり、上記第一連結体の上記スリットに上記第二連結体を挿入した状態で、上記第一連結部材のスリットに上記第二連結体を係合させて、上記第一脚部材と第二脚部材の各端部を互いに離間させるように揺動させてＸ字状に組み立て可能な支持台。
【請求項２】
上記第一脚部材と第二脚部材は、厚みのある矩形状の棒材により形成され、上記第一連結部材は細長い板材を複数上記第一脚部材間に掛け渡して固定し、その板材間に上記スリットを形成した請求項１記載の支持台。
【請求項３】
上記脚部材の上端には、上に載置する部材を保持する切欠き部が形成され、上記脚部材の下端面は、上記第一連結体と上記第二連結体とを組み立てた際に、地面との平行になるように形成されている請求項１または２記載の支持台。
【発明の詳細な説明】
【０００１】
【発明の属する技術分野】
この発明は、草花や低木等の植物を植えたプランター等を載置する支持台に関する。
【０００２】
【従来の技術】
従来、例えばプランター台は、コンクリートブロックやレンガ等を用いて固定化されたものや、あるいはプラスチックや金属等のフレームを組み立てて、階段状等に形成した構造を有するものであった。また、登録実用新案第３００１７５５号公報に開示されるように、金属フレーム等を組み立てて、組立や移動を容易にした折りたたみ式のプランター台も提案されている。
【０００３】
【発明が解決しようとする課題】
上記従来の技術の前者の場合、コンクリートブロックやレンガ等で形成されるプランター台は、設置場所に固定されるため、他の場所への移動が困難であったり、移動が可能としても非常に重く、一人での作業は困難であった。また、高さを高くすることができず、外観も好ましくないものであった。
【０００４】
また、上記従来の技術の後者の場合、プラスチックや金属等のフレームで形成されたプランター台は、構成部品が複数になり、組み立てや分解に多くの労力と時間を必要とした。また、細かく小さな部品等は紛失しやすく、一部材の破損によても、プランター台自体が使用不可能となるという問題を有していた。
【０００５】
この発明は上記従来の問題点に鑑みてなされたもので、構成部品が少なく、簡単に組み立て分解ができ、また持ち運びも容易な支持台を提供することを目的とする。
【０００６】
【課題を解決するための手段】
この発明は、一対の角柱等の棒材からなる第一脚部材と、この第一脚部材を互いに平行に連結した第一連結部材と、この連結部材に形成された所定幅のスリットとを備えた板材等の第一連結体と、上記第一脚部材と同様に一対の棒材からなる第二脚部材と、この第二脚部材を互いに平行に連結するとともに、この第二脚部材が連結状態で上記スリットに挿通可能に保持した第二連結体とからなり、上記第一連結体の上記スリットに上記第二連結体を挿入した状態で、上記第一連結部材のスリットに上記第二連結体を係合させて、上記第一脚部材と第二脚部材の各端部を互いに離間させるように揺動させてＸ字状に組み立て可能な支持台である。
【０００７】
また、上記第一脚部材と第二脚部材は、厚みのある矩形状の棒材により形成され、上記第一連結部材は細長い板材を複数上記第一脚部材間に掛け渡して固定し、その板材間に上記スリットを形成したものである。さらに、上記脚部材の上端には、上に載置する部材を保持する切欠き部が形成され、上記脚部材の下端面は、上記第一連結体と上記第二連結体とを組み立てた際に、地面との平行になるように形成されている。
【０００８】
【発明の実施の形態】
以下、この発明の一実施形態について図面に基づいて説明する。図１はこの発明の実施の形態のプランター台を示す。この実施形態のプランター台の第一連結体１０は、厚みのある矩形状の木板の脚部材１２からなる一対の互いに平行な第一脚部材１４と、この第一脚部材１４を連結する矩形状の木板からなる２枚の連結部材１６とからなる。この２枚の連結部材１６は、第一脚部材１４に対し略直角となり、また脚部材１２を挿入することが可能な幅のスリット１８を有し、第一脚部材１４の中心付近に木ねじ２０で固定されている。
【０００９】
脚部材１２は、連結部材１６を設けた側面の上部に略直角の切り欠き部２２を有し、この切り欠き部２２とほぼ平行となるように脚部材１２の下端面２４は、脚部材１２の長さ方向に対して斜めに傾斜している。また、脚部材１２の連結部材１６を設けた側面の下端部の角部と、この下角と対称な位置の上端部の角部は、各々面取りされている。
【００１０】
第二連結体２６は、一対の脚部材１２を平行に設けた第二脚部材２８と、この第二脚部材２８に連結する２枚の連結部材１６とからなり、この連結部材１６は、第一連結体１０が有する２枚の連結材１６のうち下方向に設けた連結部材１６と同等の高さに、またもう一枚の連結部材１６は、所定幅の間隔を空けて更に低い位置に木ねじで固定されている。また一対の第二脚部材２８の間隔は、第一脚部材１４のスリット１８間に挿入することが可能な間隔である。
【００１１】
この実施形態のプランター台の組み立て方法は、第一連結体１０のスリット１８に第二連結体２６を挿入し、第二連結体２６の連結部材１６を第一脚部材１４に当接させるとともに、第二脚部材２８を第一連結体１０の連結部材１６に当接させて第一連結体１０と第二連結体２６とをＸ字状に組み立てる。このとき下端部２４は、地面と平行になり、接地面が広く安定に設置することができ、また脚部材１２に設けた４つの切り欠き部２２にプランター３０を載置したり、あるいは四隅の切り欠き部２２により形成される大きさを有する板等を切り欠き部２２間に設置し、この板上にプランター３０や植木鉢等を載置することも可能である。
【００１２】
このプランター台は、各々別体の第一連結体１０と第二連結体２６とからなり、構成する部材が少なく、組み立てが容易なことから希望の設置場所に運び組み立てたり、他の場所へ分解して移動することも容易に可能である。また、第一第二連結体１０，２６が各々別体に構成されているため、搬送時にコンパクトに梱包することができ、使用時にも分解や持ち運びが容易であり、修理もし易い。
【００１３】
なお、この発明の支持台を構成する脚部材及び連結部材は、上記形状に限定されるものではなく、第二連結体の連結部材を１枚にすることも可能である。また切り欠き部を複数設けることで、プランターの大きさに合わせ適したものを使用することができ、適宜選択する。脚部材と連結部材の固定には、木ねじ以外にも、固定できるものならばどのような部材でもよく、固定方法と固定部材の種類は問はない。
【００１４】
【発明の効果】
この発明の支持台は、第一連結体と第二連結体とが各々別々に設けられ、構成部材が少なく、搬送、梱包、組み立て分解等が容易であり、製品の陳列にも好都合であるとともに、持ち運びも容易に可能である。また、第一連結体と第二連結体を係合により組み立て状態を維持し、当接した部位の摩擦により固定されるため、釘等の固定部材が不要であり、耐久性も高い。
【図面の簡単な説明】
【図１】この発明の実施形態のプランター台を示す斜視図である。
【図２】この発明の実施形態のプランター台を示す側面図である。
【図３】この発明の実施形態のプランター台を構成する第一連結体を示す面図（ａ）、右側面図（ｂ）である。
【図４】この発明の実施形態のプランター台を構成する第二連結体を示す正面図（ａ）、右側面図（ｂ）である。
【符号の説明】
１０    第一連結体
１２    脚部材
１４    第一脚部材
１６    連結部材
１８    スリット
２２    切り欠き部
２４    下端面
２６    第二連結体
２８    第二脚部材
【図１】
0003822973.tif 000002
【図２】
0003822973.tif 000003
【図３】
0003822973.tif 000004
【図４】
0003822973.tif 000005